(57)【特許請求の範囲】
【請求項１】
内容液を収容する容器の口部に固定されるシリンダと、該シリンダ内を上方付勢状態で上下に摺動可能なピストンを有するステムと、該ステムの上部に連結し、前記ステムを通じて吸い上げた内溶液をノズルから吐出させる押下げヘッドとを備える吐出ポンプにおいて、
前記押下げヘッドは、該押下げヘッドの押下げによって前記ステムから送り込まれる内溶液の一部を前記ノズルから吐出させると共に、残りの一部を加圧下に収容し、該収容した内溶液を前記押下げヘッドの上昇時に前記ノズルから吐出させる貯留室を備え、
前記押下げヘッドは、前記ステムに連結する下部ヘッドと、該下部ヘッドに形成された筒壁に対して下方付勢状態で上下に摺動可能なスライダとを備え、
前記下部ヘッドと前記スライダとによって前記貯留室が形成されていることを特徴とする吐出ポンプ。
【請求項２】
前記押下げヘッドは、前記ノズルを有し前記下部ヘッドに固定される上部ヘッドを備える、請求項１に記載の吐出ポンプ。
【請求項３】
前記下部ヘッドは、前記貯留室に送り込まれた内溶液が前記ステムに逆流するのを阻止する逆止弁を備える、請求項１又は２に記載の吐出ポンプ。
【発明の詳細な説明】
【技術分野】
【０００１】
本発明は、押下げヘッド式の吐出ポンプに関し、特に、押下げヘッドの押下げ時と上昇時の双方で内溶液を吐出させようとするものである。
【背景技術】
【０００２】
従来、押下げヘッド式の吐出ポンプとして、例えば特許文献１に記載されるように、内容液を収容する容器の口部に固定されるシリンダと、該シリンダ内を上方付勢状態で上下に摺動可能なピストンを有するステムと、該ステムの上部に連結し、ステムを通じて吸い上げた内溶液をノズルから吐出させる押下げヘッドとを備えるものが知られている。
【先行技術文献】
【特許文献】
【０００３】
【特許文献１】特開２００８−１６２６７１号公報
【発明の概要】
【発明が解決しようとする課題】
【０００４】
特許文献１に記載されるような従来の吐出ポンプは、押下げヘッドの押下げ時に内溶液が吐出されるようになっている。しかしながら、押下げヘッドの押下げ時と上昇時の双方で内溶液を吐出するようにできれば、新たな使用形態のニーズに応えることができる。
【０００５】
本発明は、前記の課題を解決するために開発されたもので、押下げヘッドの押下げ時と上昇時の双方で内溶液を吐出できる新規な吐出ポンプを提供することを目的とする。
【課題を解決するための手段】
【０００６】
すなわち、本発明の要旨構成は以下のとおりである。
１．内容液を収容する容器の口部に固定されるシリンダと、該シリンダ内を上方付勢状態で上下に摺動可能なピストンを有するステムと、該ステムの上部に連結し、前記ステムを通じて吸い上げた内溶液をノズルから吐出させる押下げヘッドとを備える吐出ポンプにおいて、
前記押下げヘッドは、該押下げヘッドの押下げによって前記ステムから送り込まれる内溶液の一部を加圧下に収容し、該収容した内溶液を前記押下げヘッドの上昇時に前記ノズルから吐出させる貯留室を備えることを特徴とする吐出ポンプ。
【０００７】
２．前記押下げヘッドは、
前記ステムに連結する下部ヘッドと、
前記ノズルを有し前記下部ヘッドに固定される上部ヘッドと、
前記下部ヘッドに形成された筒壁に対して下方付勢状態で上下に摺動可能なスライダとを備え、
前記下部ヘッドと前記スライダとによって前記貯留室が形成されている、前記１の吐出ポンプ。
【０００８】
３．前記下部ヘッドは、前記貯留室に送り込まれた内溶液が前記ステムに逆流するのを阻止する逆止弁を備える、前記１又は２の吐出ポンプ。
【発明の効果】
【０００９】
本発明によれば、押下げヘッドの押下げによってステムから送り込まれる内溶液の一部をノズルから吐出させると共に、残りの一部を貯留室に加圧下に収容し、この収容した内溶液を押下げヘッドの上昇時にノズルから吐出させることができる。
【００１０】
したがって、本発明によれば、押下げヘッドの押下げ時と上昇時の双方で内溶液を吐出できる新規な吐出ポンプを提供することができる。
【図面の簡単な説明】
【００１１】
【図１】本発明の一実施形態に係る吐出ポンプの正面視での半断面図であり、使用開始前の収納状態を示す。
【図２】図１の吐出ポンプの側面視での一部断面図であり、押下げヘッドの押下げ開始前の状態を示す。
【図３】図１の吐出ポンプの側面視での一部断面図であり、押下げヘッドの押下げ時の状態を示す。
【図４】図１の吐出ポンプの側面視での一部断面図であり、押下げヘッドの上昇時の状態を示す。
【図５】図１の吐出ポンプの変形例を示す正面視での半断面図であり、使用開始前の収納状態を示す。
【発明を実施するための形態】
【００１２】
以下、図１〜図４を参照して、本発明の一実施形態に係る吐出ポンプ１００について詳細に例示説明する。
なお、本明細書において、上下方向とはシリンダ１の中心軸線Ｏに沿う方向を意味し、上方とはシリンダ１に対して押下げヘッド３が配置される側（例えば図１における上方）であり、下方とはその反対側である。また、シリンダ１の中心軸線Ｏに対してノズル１０ｇが位置する側を前方とし、その反対側を後方とする。さらに、前方から後方に向かって見たときの左右方向を側方とする。
【００１３】
図１に示すように、本実施形態に係る吐出ポンプ１００は、シリンダ１と、ステム２と、押下げヘッド３とを備えている。シリンダ１は、装着筒４によって、内容液を収容する容器（図示省略）の口部に固定されている。また、シリンダ１の下部内周側には座面１ａが形成されており、この座面１ａに着座可能な弾性弁５ａを有する弁体５が配置されている。
【００１４】
弁体５とステム２との間には、ステム２を上方に付勢する付勢部材（本実施形態ではコイルばね）６が配置されている。ステム２は、シリンダ１内を上下に摺動可能な環状のピストン２ａと、ピストン２ａの内周側から上方に延びる筒状のステム本体２ｂとを有している。本実施形態では、ステム本体２ｂの内周面に内溶液が下方に逆流するのを阻止する逆止弁（本実施形態ではボール弁）７が形成されている。シリンダ１の上部には、ステム２の抜け出しを阻止する補助筒８が固定されている。なお、補助筒８はアンダーカットによりシリンダ１に嵌合されており、また、回り止め用の縦リブ及び縦溝を介してシリンダ１に接続している。
【００１５】
ステム２の上部には押下げヘッド３が取り付けられている。押下げヘッド３は、ステム２の上部に連結する下部ヘッド９と、下部ヘッド９に対して上下に移動可能に取り付けられる上部ヘッド１０と、スライダ１１とを備えている。
【００１６】
下部ヘッド９は、ステム２の上部に嵌合する下筒９ａを備えている。下筒９ａの上端には円板状の底壁９ｂが連なっている。底壁９ｂの中央上面には偏平な切頭円錐状の突出部９ｃが設けられ、突出部９ｃの外周部には、底壁９ｂを貫通してステム２の内部に連通する複数の貫通孔９ｄが間欠状に周設されている。さらにその外周側には、底壁９ｂから上方に延びる筒壁９ｅが設けられている。また、底壁９ｂの外周縁には、環状壁９ｆが垂設されている。環状壁９ｆの内周面には、補助筒８の外周面に形成された雄ねじ部８ａに螺合可能な雌ねじ部９ｇが形成されている。押下げヘッド３を押下げ、これら雄ねじ部８ａ及び雌ねじ部９ｇを螺合させておくことで、吐出ポンプ１００をコンパクトな収納状態にしておくことができ、また、運搬時等に内溶液の意図しない吐出が生じるのを防止できる。
【００１７】
上部ヘッド１０は、下部ヘッド９の筒壁９ｅの外周面に固定される周壁１０ａと、周壁１０ａの上端部に連なる円板状の天壁１０ｂとを備えている。周壁１０ａの下端部は下部ヘッド９の底壁９ｂの上面に当接している。また、天壁１０ｂには、周壁１０ａに沿って複数の貫通孔１０ｄが間欠状に周設されており、筒壁９ｅの上端縁には、これら貫通孔１０ｄに挿入可能な延長部９ｉが間欠状に周設されている。各延長部９ｉには外周側に突起９ｊが形成されており、周壁１０ａの内周面上部には、これら突起９ｊに係合可能な突起１０ｅが形成されている。
【００１８】
上部ヘッド１０の天壁１０ｂには、周壁１０ａの内周側で垂下する筒状の支持壁１０ｆが設けられている。支持壁１０ｆは、下部ヘッド９の筒壁９ｅの上端部内周面に当接するようになっている。支持壁１０ｆの内周側では、ノズル１０ｇに繋がる内溶液の流路を形成する垂下筒１０ｈが天壁１０ｂから垂設されている（図１〜２参照）。
【００１９】
図１に示すように、上部ヘッド１０の垂下筒１０ｈの下部内周面には、スライダ１１の内筒１１ａが上下に摺動可能に嵌入されている。内筒１１ａの下端部には外向きフランジ１１ｂが連なり、外向きフランジ１１ｂの外周縁は、下部ヘッド９の筒壁９ｅの内周面に上下に摺動可能に嵌入されている。また、外向きフランジ１１ｂの外周縁には、ガイド筒１１ｃが立設されている。外向きフランジ１１ｂと上部ヘッド１０との間には、スライダ１１を下方に付勢する付勢部材（本実施形態ではコイルばね）１３が配置されている。スライダ１１が図１に示す下端位置にあるとき、外向きフランジ１１ｂの内周縁は下部ヘッド９の突出部９ｃと密着することで、内溶液の通過を阻止している。また、スライダ１１が図３に示すように上昇したとき、スライダ１１と下部ヘッド９とによって貯留室１４が形成される。より具体的には、貯留室１４は、外向きフランジ１１ｂの下面、筒壁９ｅの内周面、及び底壁９ｂの上面によって区画されている。
【００２０】
かかる構成によれば、以下の要領で内溶液を吐出させることができる。まず、図１に示した収納状態で、押下げヘッド３を回転させて下部ヘッド９と補助筒８との螺合を外すと、図２に示すように、ステム２及び押下げヘッド３が付勢部材６によって上昇する。このような上昇状態では、押下げヘッド３を押下げると、図３に示すように、前回のステム２の上昇によってシリンダ１内に吸い上げられていた内溶液が、ステム２を通じて押下げヘッド３に流入し、スライダ１１を下方への付勢力に抗して押し上げ、貯留室１４を形成しつつ、スライダ１１の内筒１１ａの内側を通ってノズル１０ｇから吐出される。すなわち、押下げヘッド３の押下げ時には、ステム２から送り込まれた内溶液の一部がノズル１０ｇから吐出され、残りの一部が貯留室１４に加圧下に収容された状態となる。
【００２１】
押下げヘッド３の押下げを止めると、図４に示すように、スライダ１１が下方への付勢力によって押し下げられ、貯留室１４に収容されていた内溶液が内筒１１ａの内側を通ってノズル１０ｇから吐出される。すなわち、押下げヘッド３の上昇時には、貯留室１４に加圧下に収容されていた内溶液が、その圧力によりノズル１０ｇから吐出される。
【００２２】
このように、本実施形態に係る吐出ポンプ１００では、押下げヘッド３の押下げ時と上昇時の双方で内溶液を吐出させることができる。また、押下げヘッド３の押下げと上昇を繰り返すことで、内溶液の連続した吐出状態を持続させることも可能となる。なお、内溶液としては、例えばアルコール消毒液、化粧料、液体石鹸など、種々の液体を採用可能である。
【００２３】
以上説明したように、本実施形態に係る吐出ポンプ１００は、内容液を収容する容器の口部に固定されるシリンダ１と、該シリンダ１内を上方付勢状態で上下に摺動可能なピストン２ａを有するステム２と、該ステム２の上部に連結し、ステム２を通じて吸い上げた内溶液をノズル１０ｇから吐出させる押下げヘッド３とを備え、押下げヘッド３は、該押下げヘッド３の押下げによってステム２から送り込まれる内溶液の一部を加圧下に収容し、該収容した内溶液を押下げヘッド３の上昇時にノズル１０ｇから吐出させる貯留室１４を備えるという構成になっている。
【００２４】
また、本実施形態に係る吐出ポンプ１００は、押下げヘッド３は、ステム２に連結する下部ヘッド９と、ノズル１０ｇを有し下部ヘッド９に固定される上部ヘッド１０と、下部ヘッド９に形成された筒壁９ｅに対して下方付勢状態で上下に摺動可能なスライダ１１とを備え、下部ヘッド９とスライダ１１とによって貯留室１４が形成されているという構成になっている。したがって、本実施形態によれば、簡単な構成によって、貯留室１４を形成することができる。
【００２５】
また、本実施形態に係る吐出ポンプ１００は、内溶液の逆流を防止する逆止弁７をステム２に設けていたが、これに代え、例えば図５に符号７’で示すように、下部ヘッド９’に設けてもよい。なお、この場合、下部ヘッド９’は、突出部９ｃと底壁９ｂの一部とを、残りの部分と別体に構成することが好ましい。このように、吐出ポンプ１００’を、下部ヘッド９’が、貯留室１４（前掲図３参照）に送り込まれた内溶液がステム２’に逆流するのを阻止する逆止弁７’を備える構成とした場合には、下部ヘッド９’単独で貯留室１４の蓄圧機能検査を行えるという利点がある。
【００２６】
前述したところは本発明の一実施形態を示したにすぎず、特許請求の範囲において、種々の変更を加えてもよいことは言うまでもない。例えば、前述した実施形態では、ノズル１０ｇから内溶液をそのまま吐出させるように構成したが、このような構成に限らず、例えば、ノズル１０ｇにチップを差し込んで霧状に噴出させる構成としてもよい。
【符号の説明】
【００２７】
１  シリンダ
１ａ  座面
２，２’  ステム
２ａ  ピストン
２ｂ  ステム本体
３  押下げヘッド
４  装着筒
５  弁体
５ａ  弾性弁
６  付勢部材
７，７’  逆止弁
８  補助筒
８ａ  雄ねじ部
９，９’  下部ヘッド
９ａ  下筒
９ｂ  底壁
９ｃ  突出部
９ｄ  貫通孔
９ｅ  筒壁
９ｆ  環状壁
９ｇ  雌ねじ部
９ｉ  延長部
９ｊ  突起
１０  上部ヘッド
１０ａ  周壁
１０ｂ  天壁
１０ｄ  貫通孔
１０ｅ  突起
１０ｆ  支持壁
１０ｇ  ノズル
１０ｈ  垂下筒
１１  スライダ
１１ａ  内筒
１１ｂ  外向きフランジ
１１ｃ  ガイド筒
１３  付勢部材
１４  貯留室
１００，１００’  吐出ポンプ
Ｏ  軸線
【図１】
0006602185.tif 000002
【図２】
0006602185.tif 000003
【図３】
0006602185.tif 000004
【図４】
0006602185.tif 000005
【図５】
0006602185.tif 000006